(57)【要約】【課題】高炉の操業において目標とする装入物分布が与えられたときに、この装入物分布を実際の高炉の操業条件が考慮された分布に変換する高炉装入物の目標分布変換装置、この装置に用いられる目標分布変換方法、及び高炉装入物の目標分布変換プログラムを提供することを課題とする。【解決手段】本発明は、高炉の炉頂部において交互に積層される鉱石層とコークス層との所定の炉半径の各位置における層厚比の分布である装入物分布を変換する方法であって、高炉への鉱石Ｏ及びコークスＣの１バッチあたりの各装入量Ｖｏ，Ｖｃを取得し、高炉の操業において目標とする装入物分布である目標分布Ｆ２（ｘ）を取得し、目標分布Ｆ２（ｘ）の分布形状が当該目標分布Ｆ２（ｘ）の取得されたときの分布形状と近似し且つ取得された鉱石Ｏ及びコークスＣの各装入量と整合するように目標分布Ｆ２（ｘ）を変換することを特徴とする。【選択図】図５
2011219800.tif 000002
【特許請求の範囲】
【請求項１】
高炉の炉頂部において交互に積層される鉱石層とコークス層との所定の炉半径の各位置における層厚比の分布である装入物分布を変換する装置であって、
前記高炉への鉱石及びコークスの１バッチあたりの各装入量を取得する装入量取得手段と、
前記高炉の操業において目標とする装入物分布である目標分布を取得する目標分布取得手段と、
前記取得された目標分布を前記取得された鉱石及びコークスの各装入量に基づいて変換する変換手段と、
前記変換手段によって変換された目標分布を出力する出力手段と、を備え、
前記変換手段は、前記目標分布取得手段により取得された目標分布の形状と近似し且つ前記装入物取得手段により取得された鉱石及びコークスの各装入量と整合する形状をもつ分布に前記目標分布を変換することを特徴とする高炉装入物の目標分布変換装置。
【請求項２】
請求項１に記載の目標分布変換装置において、
前記変換手段は、前記装入量取得手段により取得した鉱石及びコークスの１バッチあたりの各体積と、前記変換される前の目標分布を前記高炉内に実現した場合にこの目標分布を構成する鉱石及びコークスの各体積と、に基づいて変換することを特徴とする高炉装入物の目標分布変換装置。
【請求項３】
請求項１に記載の目標分布変換装置において、
前記変換手段は、前記目標分布における各層厚比の値に所定の係数を乗じることにより当該目標分布を変換し、
前記所定の係数は、前記装入量取得手段により取得した鉱石とコークスとの１バッチあたりの各体積と、前記変換される前の目標分布に基づく鉱石とコークスとの各体積と、に基づいて規定されることを特徴とする高炉装入物の目標分布変換装置。
【請求項４】
高炉の炉頂部において交互に積層される鉱石層とコークス層との所定の炉半径の各位置における層厚比の分布である装入物分布を変換する方法であって、
前記高炉への鉱石及びコークスの１バッチあたりの各装入量を取得する装入量取得工程と、
前記高炉の操業において目標とする装入物分布である目標分布を取得する目標分布取得工程と、
前記目標分布取得工程において取得された目標分布の形状と近似し且つ前記装入物取得工程において取得された鉱石及びコークスの各装入量と整合する形状をもつ分布に前記目標分布を変換する変換工程と、を備えることを特徴とする高炉装入物の目標分布変換方法。
【請求項５】
高炉の炉頂部において交互に積層される鉱石層とコークス層との所定の炉半径の各位置における層厚比の分布である装入物分布を変換するためのプログラムであって、
コンピュータを、
前記高炉への鉱石及びコークスの１バッチあたりの各装入量と前記高炉の操業において目標とする装入物分布である目標分布とを受け取り、前記受け取った目標分布の形状と近似し且つ前記受け取った鉱石及びコークスの各装入量と整合する形状をもつ分布に前記目標分布を変換する手段として機能させることを特徴とする高炉装入物の目標分布変換プログラム。
【発明の詳細な説明】
【技術分野】
【０００１】
本発明は、操業中の高炉炉頂部における目標とする装入物分布を設定したときに、この装入物分布を高炉の操業条件と整合するように変換する高炉装入物の目標分布変換装置、この装置に用いられる高炉装入物の目標分布変換方法、及び高炉装入物の目標分布変換プログラムに関する。
【背景技術】
【０００２】
高炉を安定して操業するための重要な指標として、高炉の炉頂部における装入物分布（層厚比分布）がある。この装入物分布とは、炉内に交互に積層される鉱石層とコークス層との層厚をそれぞれＬＯとＬＣとしたときに、これらの比であるＬＯ／（ＬＯ＋ＣＯ）の炉半径方向の各位置における分布状態のことである（図８参照）。
【０００３】
この装入物分布は、鉱石やコークス等の装入物が炉内に装入される毎に、マイクロ波の反射を利用するプロフィールメーター等によって装入物の層上面の形状（表面プロフィール）を直接測定し、この表面プロフィールに基づいて鉱石層とコークス層との炉半径方向に沿った各層厚分布を求め、これら層厚分布から得られる。
【０００４】
また、別の方法として、過去の実績データから装入条件と表面プロフィールとの関係を割り出し、種々の装入条件（例えば、ムーバルアーマのアーマストローク、シュートの傾動角、装入物の装入重量、サウジングレベル等）を計算条件として表面プロフィールを算出し、この表面プロフィールに基づいて各層の層厚分布を推定し、これにより装入物分布を求めるシミュレーションモデルを用いた方法が知られている（特許文献１参照）。
【０００５】
これらの方法によって得られた装入物分布に基づいて操業することにより、高炉の安定した操業が可能となる。具体的には、操業中の高炉において前記の方法により装入物分布を監視し、装入物分布が安定した操業に適した分布状態から外れたときにこの装入物分布が高炉の安定操業に適した分布状態となるように操業条件を変更する。
【先行技術文献】
【特許文献】
【０００６】
【特許文献１】特開２００１−３２３３０６号公報
【発明の概要】
【発明が解決しようとする課題】
【０００７】
高炉操業に関する知見を有する高炉技術者であれば、現状の装入物分布の分布形状が与えられれば、その一部を変更することにより高炉の安定操業に適した分布形状を想定することができる。この方法によれば、高炉における現状の装入物分布が得られれば、計算機等によって複雑な演算を行うことなく、その分布形状から高炉の安定操業に適した目標とすべき分布形状（目標分布形状）を容易且つ迅速に得ることができる。
【０００８】
しかし、このように求められた目標分布形状はその形状のみに着目して求められたものであり、実際の高炉の操業条件が考慮されていないため、高炉の装入物分布の分布形状が前記の目標分布形状となるような操業条件を求めてこの条件により高炉の操業を行っても、実際の高炉の装入物分布は目標分布形状と異なった分布形状となる可能性が高い。
【０００９】
そこで、高炉の操業において目標とする装入物分布が与えられたときに、この装入物分布を実際の高炉の操業条件が考慮された分布に変換する高炉装入物の目標分布変換装置、この装置に用いられる目標分布変換方法、及び高炉装入物の目標分布変換プログラムを提供することを課題とする。
【課題を解決するための手段】
【００１０】
そこで、上記課題を解消すべく、本発明は、高炉の炉頂部において交互に積層される鉱石層とコークス層との所定の炉半径の各位置における層厚比の分布である装入物分布を変換する装置であって、前記高炉への鉱石及びコークスの１バッチあたりの各装入量を取得する装入量取得手段と、前記高炉の操業において目標とする装入物分布である目標分布を取得する目標分布取得手段と、前記取得された目標分布を前記取得された鉱石及びコークスの各装入量に基づいて変換する変換手段と、前記変換手段によって変換された目標分布を出力する出力手段と、を備える。そして、前記変換手段は、前記目標分布取得手段により取得された目標分布の形状と近似し且つ前記装入物取得手段により取得された鉱石及びコークスの各装入量と整合する形状をもつ分布に前記目標分布を変換することを特徴とする。また、高炉の炉頂部において交互に積層される鉱石層とコークス層との所定の炉半径の各位置における層厚比の分布である装入物分布を変換する方法であって、前記高炉への鉱石及びコークスの１バッチあたりの各装入量を取得する装入量取得工程と、前記高炉の操業において目標とする装入物分布である目標分布を取得する目標分布取得工程と、前記目標分布取得工程において取得された目標分布の形状と近似し且つ前記装入物取得工程において取得された鉱石及びコークスの各装入量と整合する形状をもつ分布に前記目標分布を変換する変換工程と、を備えることを特徴とする。尚、本発明において、鉱石及びコークスの高炉内への装入単位をバッチとする。
【００１１】
かかる構成によれば、高炉の操業条件を考慮せずに装入物分布の分布形状のみに着目して目標分布を設定しても、この目標分布の分布形状が高炉の操業条件を考慮した分布形状となるように前記目標分布が調整される。具体的には、実際の高炉の操業において、装入物分布（分布形状）のみを変更するために操業条件を変える場合には、通常、鉱石及びコークスの装入方法（ベルレス高炉ならシュートの傾動角、ベルアーマ高炉ならアーマストローク）のみを変更し、１バッチあたりの鉱石及びコークスの各装入量を変更しないことに着目する。即ち、目標分布の分布形状が、取得されたときの当該目標分布の分布形状と近似し且つ高炉操業における１バッチあたりの鉱石及びコークスの各装入量と整合するように前記目標分布が変換される。これにより、高炉の操業条件が考慮された目標分布を得ることができ、高炉の装入物分布がこの変換後の目標分布となるような操業条件を求めてその条件により高炉の操業を行うことにより、高炉の装入物分布を目標分布と近似した分布形状とすることができる。
【００１２】
操業中の高炉における装入物分布を監視し、装入物分布が所定の分布から外れたときにこの装入物分布を元の分布（前記所定の分布）に戻るように操業条件を変更することにより、装入物分布の変化を小さくして炉内の状態が不安定になる等のリスクを抑えることが従来から行われていた。上記の構成では、高炉の現状の装入物分布（分布形状）の一部だけを変更して目標分布を設定することにより、装入物分布の変化を小さくして炉内が不安定になる等のリスクを抑える。即ち、変換された目標分布の分布形状が設定された目標分布の分布形状と近似していることから現状の装入物分布の分布形状とも近い形状を有することとなり、現状の装入物分布が変換後の目標分布となるよう高炉の操業条件を変更しても、炉内が不安定になる等のリスクを抑えることができる。
【００１３】
本発明に係る高炉の目標分布変換装置において、前記変換手段は、前記装入量取得手段により取得した鉱石及びコークスの各装入量に基づく前記鉱石及び前記コークスの１バッチあたりの各体積と、前記変換される前の目標分布を前記高炉内に実現した場合にこの目標分布を構成する鉱石及びコークスの各体積と、に基づいて変換すること、が好ましい。
【００１４】
このように、目標分布を変換するのに必要なパラメータとして装入物（鉱石及びコークス）の体積（装入量）を用いることにより、各パラメータが容易に得られる。具体的には、装入量取得手段により取得する鉱石及びコークスの各装入量は、実際の高炉の操業においては必須の項目であるため計算等を行わなくても得られる。また、変換する前の目標分布を高炉内に実現した場合にこの目標分布を構成する鉱石及びコークスの各体積は、変換する前の目標分布の分布形状から簡単な計算によって得られる。
【００１５】
前記変換手段は、前記目標分布における各層厚比の値に所定の係数を乗じることにより当該目標分布を変換し、前記所定の係数は、前記装入量取得手段により取得した鉱石とコークスとの１バッチあたりの各体積と、前記変換される前の目標分布に基づく鉱石とコークスとの各体積と、に基づいて規定されることが好ましい。
【００１６】
このような所定の係数が目標分布における各層厚比の値に乗じられることにより、目標分布の分布形状と比例した（近似した）分布形状の分布が得られる。しかも、容易に得られる装入物の体積を所定の係数を規定するパラメータとして用いることにより、所定の係数を容易に導出することができる。
【００１７】
また、上記課題を解消すべく、本発明は、高炉の炉頂部において交互に積層される鉱石層とコークス層との所定の炉半径の各位置における層厚比の分布である装入物分布を変換するためのプログラムであって、コンピュータを、前記高炉への鉱石及びコークスの１バッチあたりの各装入量と前記高炉の操業において目標とする装入物分布である目標分布とを受け取り、前記受け取った目標分布の形状と近似し且つ前記受け取った鉱石及びコークスの各装入量と整合する形状をもつ分布に前記目標分布を変換する手段として機能させることを特徴とする。
【００１８】
このようなプログラムをコンピュータに組み込むことにより、高炉の操業条件を考慮せずに装入物分布の分布形状のみに着目して設定した目標分布と、高炉への鉱石及びコークスの１バッチあたりの各装入量とをコンピュータに入力すれば、当該コンピュータが前記目標分布を高炉の操業条件を考慮した分布に変換する。
【発明の効果】
【００１９】
以上より、本発明によれば、高炉の操業において目標とする装入物分布が与えられたときに、この装入物分布を実際の高炉の操業条件が考慮された分布に変換する高炉装入物の目標分布変換装置、この装置に用いられる目標分布変換方法、及び高炉装入物の目標分布変換プログラムを提供することができる。
【図面の簡単な説明】
【００２０】
【図１】本実施形態に係る目標分布変換装置の構成ブロック図である。
【図２】（Ａ）は、装入物分布の分布形状を表す関数Ｆ（ｘ）を説明するための図であり、（Ｂ）は、分布形状に基づいて鉱石及びコークスの体積比を求める方法を説明するための図である。
【図３】現状の装入物分布の分布形状を示す図である。
【図４】現状の装入物分布に基づいて設定した目標分布を示す図である。
【図５】変換手段における変換後の目標分布を示す図である。
【図６】前記目標分布変換装置において目標分布を変換するときのフローを示す図である。
【図７】（Ａ）は目標分布変換装置により変換した後の目標分布に基づいて求めた操業条件で操業を続けた場合の装入物分布を示す図であり、（Ｂ）は変換前の目標分布に基づいて求めた操業条件で操業を続けた場合の装入物分布を示す図である。
【図８】装入物分布を説明するための図である。
【発明を実施するための形態】
【００２１】
以下、本発明の一実施形態について、添付図面を参照しつつ説明する。
【００２２】
高炉装入物の目標分布変換装置（以下、単に「変換装置」とも称する。）は、操業中の高炉炉頂部における目標とする装入物分布（目標分布）を設定したときに、この目標分布を高炉の操業条件と整合するように変換するものである。本実施形態において、装入物分布とは、高炉の炉頂部において交互に積層される鉱石層とコークス層との層厚をそれぞれＬＯとＬＣとしたときに、これらの比であるＬＯ／（ＬＯ＋ＣＯ）の炉半径方向の各位置における分布状態のことをいう（図８参照）。また、分布形状とは、炉半径の各位置とその位置における層厚比との関係を表した形状である。
【００２３】
具体的には、図１に示されるように、変換装置１０は、取得手段１１と、取得手段１１からの情報を処理する計算機本体１４と、計算機本体１４において処理された情報（後述の変換結果）を外部に出力する出力手段１６とを備える。
【００２４】
取得手段１１は、高炉技術者等の操業者によって所定の情報が入力され、この入力により取得した情報を計算機本体１４に送信するものである。本実施形態の取得手段１１は、高炉への装入物、詳しくは鉱石Ｏ及びコークスＣの１バッチあたりの各装入量（体積）を取得する装入量取得手段１２と、操業中の高炉における目標分布を取得する目標分布取得手段１３とを備える。装入量取得手段１２は、実際の操業において高炉に装入されている１バッチあたりの鉱石Ｏ及びコークスＣの各装入量を操業者が入力することにより取得し、これを計算機本体１４に送信する。また、目標分布取得手段１３は、目標分布を操業者が入力することにより取得し、これを計算機本体１４に送信する。本実施形態では、装入量取得手段１２と目標分布取得手段１３とが共通のキーボードによって構成されている。装入量取得手段１２や目標分布取得手段１３の具体的構成は限定されず、本実施形態ではキーボードであるが、タッチパネル等であってもよい。尚、装入量取得手段１２と目標分布取得手段１３とが別々に構成され、それぞれが独立して計算機本体１４に接続されてもよい。また、装入量取得手段１２及び目標分布取得手段１３は、高炉の制御等に用いられる計算機等から有線又は無線により前記の各情報を直接取得するように構成されてもよい。
【００２５】
計算機本体１４は、種々の情報を処理可能ないわゆるコンピュータである。この計算機本体１４には、所定のプログラムが組み込まれ、このプログラムの実行によって機能的に変換手段１５が構成される。この変換手段１５は、取得手段１１により取得した高炉の操業条件に基づいて目標分布を変換する。本実施形態の変換手段１５は、目標分布を１バッチあたりの鉱石Ｏ及びコークスＣの各装入量に基づいて変換する。具体的に、変換手段１５は、取得手段１１により取得された目標分布の形状（目標分布形状）と近似し且つ取得手段１１により取得された１バッチあたりの鉱石Ｏ及びコークスＣの各装入量と整合する形状をもつ分布に目標分布を変換する。詳しくは、変換手段１５は、目標分布における各層厚比の値に所定の係数αを乗じることにより目標分布を変換する。即ち、変換手段１５においては、装入物分布（目標分布）をｙ＝ｆ（ｘ）と表したときにｙ＝α・ｆ（ｘ）とする変換が行われる。これにより、目標分布（ｙ＝ｆ（ｘ））の分布形状と比例した（近似した）形状の分布（ｙ＝α・ｆ（ｘ））が得られる。
【００２６】
ここで、特定の装入物分布の形状に近似する装入物分布の形状とは、炉半径方向の各位置における層厚比の値の絶対値が互いに異なるが、炉半径方向に沿った層厚比の値の増減傾向が共通していることをいう。また、所定の係数α（以下、単に「α」と称する。）は、取得手段１１により取得した鉱石ＯとコークスＣとの１バッチあたりの各体積（詳しくは体積の比）と、変換される前の目標分布に基づく鉱石ＯとコークスＣとの各体積（詳しくは体積の比）と、に基づいて規定される係数である。具体的に、αは、下記の式（１）により表される。
【００２７】
【数１】
2011219800.tif 000003
【００２８】
以下、αについて詳細に説明するが、その前に装入物分布の分布形状に基づく鉱石ＯとコークスＣとの体積及びその比の求め方について説明する。
【００２９】
装入物分布ｙ＝ｆ（ｘ）は、図２（Ａ）に示されるように、炉中心と炉壁とを含む所定の炉半径におけるＮ点の層厚比を炉内の表面プロフィールの実測値から求め、隣り合う２点間を直線で補間したものである。
【００３０】
そして、
Ｖｏ１：ｙ＝ｆ（ｘ），ｘ＝０，ｘ＝Ｒ，ｘ軸で囲まれた面をｙ軸を回転中心にして回転させたときのこの面の通過領域の体積
Ｖｃ１：ｙ＝ｆ（ｘ），ｘ＝０，ｘ＝Ｒ，ｙ＝１で囲まれた面をｙ軸を回転中心にして回転させたときのこの面の通過領域の体積
と定義する。
【００３１】
Ｖｏ１＋Ｖｃ１は、ｘ＝０，ｘ＝Ｒ，ｙ＝１で囲まれた面をｙ軸を回転中心にして回転させたときのこの面の通過領域の体積であるから、
【数２】
2011219800.tif 000004
と表せる。この式（２）を変形することで
【数３】
2011219800.tif 000005
が得られる。この式（３）によれば、Ｖｏ１を与えることによってＶｃ１が求まることがわかる。
【００３２】
Ｖｏ１は次のようにして求めることができる。
【００３３】
関数ｆ（ｘ）は、Ｎ個の点を直線補間しているので、半径方向にＮ−１個の区間に分けることができ、各区間は、直線で表される。炉中心からｉ個目の区間は、（ｘｉ，ｙｉ）と（ｘｉ＋１，ｙｉ＋１）を結ぶ直線である。図２（Ｂ）に示されるｙ＝ｆｉ（ｘ），ｘ軸，ｘ＝ｘｉ，ｘ＝ｘｉ＋１で囲まれた面をｙ軸を回転中心にして回転させたときのこの面の通過領域の体積をＶｉとすると、ｆｉ（ｘ），Ｖｉは、以下の式（４）及び式（５）のように求められる。
【数４】
2011219800.tif 000006
【数５】
2011219800.tif 000007
以下の式（６）に示すように、このＶｉをｉ＝１〜Ｎ−１まで足し合わせるとＶｏ１が求まる。
【数６】
2011219800.tif 000008
高炉において、鉱石ＯとコークスＣとの層厚の和（ＬＯ＋ＬＣ）は、炉半径方向において一定とみなすことができる。従って、Ｖｏ１とＶｃ１との比は、高炉に装入される鉱石ＯとコークスＣとの体積比Ｖｏ：Ｖｃと等しい。即ち、
【数７】
2011219800.tif 000009
が成り立つ。ここで、Ｖｏは、実際に操業中の高炉へ装入される１バッチあたりの鉱石Ｏの装入量であり、Ｖｃは、実際に操業中の高炉へ装入される１バッチあたりのコークスＣの装入量である。
【００３４】
次にαについて説明する。
【００３５】
例えば、操業中の高炉において現状の装入物分布の分布形状が図３に示されるような形状であった場合、操業者は、これまでの操業経験等に基づき、安定操業に適した分布形状に比べて炉壁近傍の部位（点線の楕円部）の層厚比が炉壁に向って上がりすぎていると判断することができる。この判断に基づき、操業者は、高炉の安定操業を維持するための目標分布形状を図４に示されるような形状に設定することができる。このとき設定された目標分布形状は、分布形状の形のみに着目して設定されたものである。即ち、この目標分布形状の設定の際に、高炉の操業条件（詳しくは、１バッチあたりの鉱石Ｏ及びコークスＣの各装入量）は考慮されていない。
【００３６】
この形状をｙ＝Ｆ２（ｘ）とし、上記と同様にしてＶｏ１，Ｖｃ１に相当するＶｏ２，Ｖｃ２を求める。このように求めたＶｏ２，Ｖｃ２と、Ｖｏ，Ｖｃ（高炉へ実際に装入される１バッチあたりの鉱石Ｏ及びコークスＣの装入量）とを用いてαが規定される。このように、αは、当該αを規定するパラメータとして装入物（鉱石Ｏ及びコークスＣ）の体積（装入量）Ｖｏ，Ｖｃ，Ｖｏ２，Ｖｃ２を用いることで、容易に求めることができる。具体的には、取得手段１１により取得する鉱石Ｏ及びコークスＣの各装入量Ｖｏ，Ｖｃは、実際の高炉の操業においては必須の項目であるため計算等を行わなくても容易に得られる。また、変換する前の目標分布Ｆ２（ｘ）を高炉内に実現した場合にこの目標分布Ｆ２（ｘ）を構成する鉱石Ｏ及びコークスＣの各体積Ｖｏ２，Ｖｃ２は、変換する前の目標分布Ｆ２（ｘ）の分布形状（図４参照）から簡単な計算（式（３）〜式（６）参照）によって得られる。
【００３７】
ここで、変換手段１５によって変換された目標分布を
【数８】
2011219800.tif 000010
と表す。
【００３８】
この新たな装入物分布（変換された目標分布）ｙ＝Ｆ３（ｘ）における上記のＶｏ１，Ｖｃ１に相当するＶｏ３，Ｖｃ３を求める。Ｖｏ３は、式（８）よりＶｏ２のα倍となるので、
【数９】
2011219800.tif 000011
ここで、式（３）より、
【数１０】
2011219800.tif 000012
となり、
【数１１】
2011219800.tif 000013
が得られる。これにより、変換手段１５により変換された目標分布Ｆ３（ｘ）に基づく１バッチあたりの鉱石ＯとコークスＣとの各装入量（体積比Ｖｏ３：Ｖｃ３）と、実際の高炉に装入される１バッチあたりの鉱石ＯとコークスＣとの各装入量（体積比Ｖｏ：Ｖｃ）との整合が取れていることがわかる。
【００３９】
変換手段１５は、操業者が設定して取得手段１１に入力した目標分布Ｆ２（ｘ）をこのようなαを用いて変換し、その変換結果（変換された目標分布Ｆ３（ｘ））を出力手段１６に出力する。
【００４０】
出力手段１６は、計算機本体１４（詳しくは、変換手段１５）が出力した変換結果を受信し、これを外部に出力するものである。本実施形態の出力手段１６は、ＣＲＴディスプレイや液晶ディスプレイ、ＰＤＰ等の表示手段によって構成されているが、これに限定されず、プリンタ等の印刷手段や、他の装置（例えば、高炉の制御等に用いられる計算機等）等へ出力するように構成されてもよい。また、出力手段１６は、これらを組み合わせたものでもよい。
【００４１】
以上のように構成される変換装置１０では、図６を参照しつつ以下において説明するように、目標分布Ｆ２（ｘ）が変換される。
【００４２】
先ず、操業中の高炉における現状の装入物分布が取得される。この現状の装入物分布は、プロフィールメーター等によって、直接、高炉内の表面プロフィールを測ることにより得てもよく、過去の実績データや装入条件等からシミュレーションによって得てもよい。
【００４３】
得られた装入物分布を図３に示す。この装入物分布Ｆ１（ｘ）の分布形状から、操業者は、これまでの操業経験等に基づき、安定操業に適した分布形状に比べて炉壁近傍の部位（点線の楕円部）の層厚比が炉壁に向って上がりすぎていると判断することができる。そして、操業者は、この判断に基づき、高炉の安定操業を維持するための目標分布形状を設定する。具体的に、操業者は、図４に示されるように、得られた分布形状の一部を修正した分布形状の目標分布Ｆ２（ｘ）を設定する。詳しくは、操業者は、前記の判断において層厚比が上がりすぎていると判断した部分を水平に修正し、これを目標分布Ｆ２（ｘ）とする。
【００４４】
このように、操業者の知見等に基づいて目標分布Ｆ２（ｘ）が設定されることにより、複雑な演算等を行うことなく、迅速に目標分布Ｆ２（ｘ）の設定が行われる。しかし、この目標分布Ｆ２（ｘ）は、分布形状のみに着目して設定された分布であるため、実際の高炉の操業条件が考慮されていない。そのため、この目標分布Ｆ２（ｘ）に基づいて操業条件を変更しても、実際の装入物分布は、目標分布Ｆ２（ｘ）と異なる分布となる可能性が高い。そこで、変換装置１０により、この目標分布Ｆ２（ｘ）を操業条件が考慮された分布に変換する。
【００４５】
操業者によって入力されることにより、取得手段１１が目標分布Ｆ２（ｘ）を取得する（ステップＳ１Ａ）。このとき、操業者によって入力されることにより、取得手段１１が操業中の高炉における１バッチあたりの鉱石Ｏ及びコークスＣの各装入量Ｖｏ，Ｖｃも取得する（ステップＳ１Ｂ）。このステップＳ１Ｂは、ステップＳ１Ａと同時に行われる必要はなく、ステップＳ１Ａの前や後に行われてもよい。
【００４６】
取得手段１１は、目標分布Ｆ２（ｘ）と鉱石Ｏ及びコークスＣの各装入量Ｖｏ，Ｖｃとを計算機本体１４の変換手段１５に送信する。
【００４７】
これを受信した変換手段１５は、目標分布Ｆ２（ｘ）から上記のようにしてＶｏ２，Ｖｃ２を求める（ステップＳ２）。変換手段１５は、求めたＶｏ２，Ｖｃ２と、取得手段１１から取得した鉱石Ｏ及びコークスＣの各装入量Ｖｏ，Ｖｃとからαを求める（ステップＳ３）。
【００４８】
そして、このようにして求めたαを用い、変換手段１５は、目標分布Ｆ２（ｘ）をＦ３（ｘ）に変換（具体的には、Ｆ３（ｘ）＝α・Ｆ２（ｘ）とする変換）を行う（ステップＳ４）。即ち、変換手段１５では、操業条件が考慮されずに設定された目標分布Ｆ２（ｘ）が、当該目標分布Ｆ２（ｘ）における各層厚比の値にαが乗じられることにより、操業条件の考慮された分布Ｆ３（ｘ）に変換される。この変換後の目標分布Ｆ３（ｘ）は、図５に示すような分布形状となる。
【００４９】
ここで、このＦ３（ｘ）から上記のようにしてＶｏ３，Ｖｃ３を求め、実際に高炉に装入されている鉱石Ｏ及びコークスＣの各装入量Ｖｏ，Ｖｃと比べると、式（１１）が成り立っていることがわかる。即ち、変換後の目標分布Ｆ３（ｘ）は、実際に高炉に装入されている鉱石Ｏ及びコークスＣの各装入量と整合が取れており、操業条件が考慮された分布形状となっている。
【００５０】
一方、目標分布Ｆ２（ｘ）から求めた前記のＶｏ２，Ｖｃ２の比Ｖｏ２：Ｖｃ２は、
Ｖｏ：Ｖｃ≠Ｖｏ２：Ｖｃ２
となる。そのため、目標分布Ｆ２（ｘ）では、実際に高炉に装入されている鉱石Ｏ及びコークスＣの各装入量と整合が取られておらず、操業条件の考慮されていない分布形状であることがわかる。
【００５１】
このように変換手段１５で変換された後の目標分布Ｆ３（ｘ）は、出力手段１６に向けて変換結果として出力される。この変換手段１５からの変換結果を受信した出力手段１６は、これを表示する（ステップＳ５）。
【００５２】
その後、表示された変換後の目標分布Ｆ３（ｘ）を見た操業者は、高炉の装入物分布の分布形状が変換後の目標分布Ｆ３（ｘ）となるような操業条件を求め、現状の操業条件をこの求めた操業条件に変更する。これにより、高炉の装入物分布が装入物分布Ｆ１（ｘ）から変換後の目標分布Ｆ３（ｘ）となり、高炉の安定操業が維持される。
【００５３】
以上のような変換装置１０によれば、高炉の操業条件を考慮せずに装入物分布の分布形状のみに着目して目標分布Ｆ２（ｘ）を設定しても、この目標分布Ｆ２（ｘ）の分布形状が高炉の操業条件を考慮した分布形状Ｆ３（ｘ）となるように目標分布Ｆ２（ｘ）が調整される。具体的には、実際の高炉の操業において、装入物分布（分布形状）のみを変更するために操業条件を変える場合には、通常、鉱石Ｏ及びコークスＣの装入方法（ベルレス高炉ならシュートの傾動角、ベルアーマ高炉ならアーマストローク）のみを変更し、１バッチあたりの鉱石Ｏ及びコークスＣの各装入量を変更しないことに着目する。即ち、目標分布Ｆ２（ｘ）の分布形状が、取得されたときの当該目標分布Ｆ２（ｘ）の分布形状と近似し且つ高炉操業における１バッチあたりの鉱石Ｏ及びコークスＣの各装入量と整合するように、目標分布Ｆ２（ｘ）が変換される。これにより、高炉の操業条件が考慮された目標分布Ｆ３（ｘ）を得ることができ、高炉の装入物分布がこの変換後の目標分布Ｆ３（ｘ）となるような操業条件を求めてその条件により高炉の操業を行うことにより、高炉の装入物分布Ｆ１（ｘ）を変換後の目標分布Ｆ３（ｘ）とすることができる。この変換後の目標分布Ｆ３（ｘ）の分布形状は、変換前の目標分布Ｆ２（ｘ）の分布形状と近似しているため、操業条件を変更して高炉内に得られた装入物分布の分布形状は、目標分布Ｆ２（ｘ）の分布形状と近似している。即ち、目標とした分布形状に近似した装入物分布とすることができる。
【００５４】
また、従来の方法によれば、操業中の高炉における装入物分布を監視し、装入物分布が所定の分布から外れたときに、この装入物分布を元の分布（前記所定の分布）に戻るように操業条件が変更される。これにより、装入物分布の変化を小さくして、炉内の状態が不安定になる等のリスクを抑えることができる。これに対し、変換装置１０によれば、高炉の現状の装入物分布（分布形状）Ｆ１（ｘ）の一部（図３における炉壁近傍の部位）だけを変更して目標分布Ｆ２（ｘ）を設定することにより（図４参照）、装入物分布の変化を小さくすることができる。即ち、変換された目標分布Ｆ３（ｘ）の分布形状が設定された目標分布Ｆ２（ｘ）の分布形状と近似していることから現状の装入物分布Ｆ１（ｘ）の分布形状とも近い形状を有することとなり、現状の装入物分布Ｆ１（ｘ）が変換後の目標分布Ｆ３（ｘ）となるように高炉の操業条件を変更しても、炉内が不安定になる等のリスクを抑えることができる。
【００５５】
尚、本発明の高炉装入物の目標分布変換装置、この装置に用いられる目標分布変換方法、及び高炉装入物の目標分布変換プログラムは、上記実施形態に限定されるものではなく、本発明の要旨を逸脱しない範囲内において種々変更を加え得ることは勿論である。
【００５６】
目標分布の具体的な設定の仕方は限定されない。例えば、本実施形態では、目標分布Ｆ２（ｘ）は、現状の装入物分布Ｆ１（ｘ）に基づいてその分布形状の一部を変更することにより設定されているが、現状の装入物分布Ｆ１（ｘ）に基づいて設定されなくてもよい。また、目標分布は、現状の装入物分布Ｆ１（ｘ）の複数箇所を変更することにより設定されてもよい。
【実施例１】
【００５７】
上記実施形態において現状の装入物分布Ｆ１（ｘ）を得た高炉を解析モデルとし、その操業条件を所定の操業条件に変えて操業を続けた場合に当該高炉内に得られる装入物分布をシミュレーション（装入物シミュレーション）により求めた。
【００５８】
目標とする装入物分布を高炉内で得るために変更すべき操業条件を求める具体的方法は、操業条件（装入条件）を変更して前記装入物分布シミュレーションを多数回実行して得られた装入物分布と変換後の目標分布Ｆ３（ｘ）とを比較する。これを多数回繰り返すことにより、変更後の操業条件を求める。即ち、操業条件の変更と、変更した操業条件でのシミュレーションの実行と、シミュレーションにより得られた装入物分布と変換後の目標分布Ｆ３（ｘ）との比較と、を一組としてこの組を多数回繰り返し、変換後の目標分布Ｆ３（ｘ）と最も近似した装入物分布が得られたときのシミュレーションの操業条件を前記変更すべき操業条件とする。詳しくは、図２（Ａ）に示されるＮ個の半径位置において変換後の目標分布Ｆ３（ｘ）の層厚比をｙｉ、当該半径位置での層厚比のシミュレーション結果をｓｉとし、ｙｉとｓｉとの差Ｅを以下の式（１２）で表す。そして、このＥの値が最も小さくなったときの操業条件（装入条件）とシミュレーション結果の装入物分布とを求める。
【００５９】
【数１２】
2011219800.tif 000014
【００６０】
このＥの値が最も小さくなったときのシミュレーション結果の装入物分布を図７（Ａ）に示す。
【００６１】
一方、変換前の目標分布Ｆ２（ｘ）を用い、上記と同様に、Ｅの値が最も小さくなったときの操業条件（装入条件）とシミュレーション結果の装入物分布とを求めた。このＥの値が最も小さくなったときのシミュレーション結果の装入物分布を図７（Ｂ）に示す。
【００６２】
図７（Ａ）では、炉壁近傍（図３における点線の楕円部）の装入物分布の分布形状がほぼ目標分布として設定したフラットな形状となっている。これに対し、図７（Ｂ）では、図中の矢印の位置をピークとする山型形状が現れている。これは、変換前の目標分布Ｆ２（ｘ）の分布形状が鉱石Ｏ及びコークスＣの各装入量と整合がとれていないため、その影響が現れたものと考えられる。
【００６３】
以上より、高炉の操業条件を考慮せずに装入物分布の分布形状のみに着目して目標分布Ｆ２（ｘ）を設定しても、この目標分布Ｆ２（ｘ）を高炉の操業条件を考慮した分布形状Ｆ３（ｘ）となるように変換し、高炉の装入物分布がこの変換後の目標分布Ｆ３（ｘ）となるような操業条件を求めてその条件により高炉の操業を行うことにより、高炉の装入物分布Ｆ１（ｘ）を目標分布Ｆ３（ｘ）とすることができることが確認できた。
【符号の説明】
【００６４】
１０   目標分布変換装置
１１   取得手段
１２   装入量取得手段
１３   目標分布取得手段
１５   変換手段
１６   出力手段
Ｆ１（ｘ）    現状の装入物分布
Ｆ２（ｘ）    目標分布
Ｆ３（ｘ）    変換後の目標分布
Ｃ     コークス
Ｏ     鉱石
【図１】
2011219800.tif 000015
【図２】
2011219800.tif 000016
【図３】
2011219800.tif 000017
【図４】
2011219800.tif 000018
【図５】
2011219800.tif 000019
【図６】
2011219800.tif 000020
【図７】
2011219800.tif 000021
【図８】
2011219800.tif 000022